(57)【特許請求の範囲】
【請求項１】
風力発電装置と情報処理装置との間でデータを送受信する遠隔監視装置であって、
前記風力発電装置と情報処理装置との間におけるデータ伝送の中継を行う本設スイッチングハブと、
前記風力発電装置と情報処理装置との間におけるデータ伝送の中継を行う予備スイッチングハブと、
前記風力発電装置と情報処理装置との間におけるデータ伝送の中継を、前記本設スイッチングハブ又は前記予備スイッチングハブに切り替える切替手段と、
前記データが送受信される伝送経路と同じ伝送経路によって、前記予備スイッチングハブを介して入力される情報処理装置からの切替信号に基づいて、前記切替手段による切り替えを実行する第１制御手段と、
を備え、
前記第１制御手段は、前記予備スイッチングハブを介して入力される情報処理装置からのリセット信号に基づいて、前記本設スイッチングハブに対する電源のオン及びオフを実行する遠隔監視装置。
【請求項２】
前記第１制御手段は、前記予備スイッチングハブを介して入力される情報処理装置からのリセット信号に基づいて、前記風力発電装置を制御する風車制御装置に対する電源のオン及びオフを実行する請求項１記載の遠隔監視装置。
【請求項３】
前記本設スイッチングハブに接続されると共に、前記予備スイッチングハブに対する電源のオン及びオフを、前記本設スイッチングハブを介して入力される情報処理装置からのリセット信号に基づいて実行する第２制御手段を備えた請求項１記載の遠隔監視装置。
【請求項４】
風力発電装置を制御する風車制御装置から受信した前記風力発電装置の運転状態を示す運転データを、通信回線を介して遠隔地に設置された情報処理装置へ送信する請求項１記載の遠隔監視装置。
【請求項５】
前記本設スイッチングハブ及び前記予備スイッチングハブは、前記風力発電装置を操作するための可搬型の情報処理端末から送信された制御信号を前記風力発電装置へ送信するためのポートが設けられている請求項１記載の遠隔監視装置。
【請求項６】
風力発電装置、及び請求項１記載の遠隔監視装置が洋上に設置され、
前記第１制御手段は、陸上に設置された情報処理装置からの切替信号に基づいて、前記切替手段による切り替えを実行する風力発電システム。
【請求項７】
風力発電装置と情報処理装置との間でデータを送受信するために、前記風力発電装置と情報処理装置との間におけるデータ伝送の中継を行う本設スイッチングハブ、前記風力発電装置と情報処理装置との間におけるデータ伝送の中継を行う予備スイッチングハブ、及び前記風力発電装置と情報処理装置との間におけるデータ伝送の中継を、前記本設スイッチングハブ又は前記予備スイッチングハブに切り替える切替手段を備える遠隔監視装置の制御方法であって、
前記データが送受信される伝送経路と同じ伝送経路によって、前記予備スイッチングハブを介して入力される情報処理装置からの切替信号に基づいて、前記切替手段による切り替えを実行すると共に、前記予備スイッチングハブを介して入力される情報処理装置からのリセット信号に基づいて、前記本設スイッチングハブに対する電源のオン及びオフを実行する遠隔監視装置の制御方法。
【発明の詳細な説明】
【技術分野】
【０００１】
本発明は、遠隔監視装置、発電システム、及び遠隔監視装置の制御方法に関するものである。
【背景技術】
【０００２】
複数の風力発電装置から構成されているウインドファームでは、風力発電装置の運転状態の監視を行う遠隔監視装置として、ＳＣＡＤＡ(Supervisory  Control  And  Data  Acquisition)が用いられている。
このようなウインドファームにおいて、ＳＣＡＤＡと風力発電装置とは、通信回線（例えばＥｔｈｅｒｎｅｔをベースとした通信ネットワーク）によって接続されている。
【０００３】
このような構成の一例として、特許文献１には、ウインドファームにＳＣＡＤＡマスターサーバが設けられ、通信ネットワークを介してリモートコントロールセンターに設けられたＳＣＡＤＡリモートクライアントが接続され、ＳＣＡＤＡリモートクライアントがインターネット回線を介してワークステーションに接続されるシステムが記載されている。
【０００４】
また、通信ネットワークに障害が生じると、データ伝送が困難となる場合がある。
通信回線に障害が発生した場合の対処方法として、特許文献２には、閉域ＩＰ網及びＩＳＤＮ交換機網という２系統の異なる種類の通信回線でＰＯＳ端末とホストシステムとの間を接続し、閉域ＩＰ網に障害が生じた場合にＩＳＤＮ交換機網に切り替える通信システムが記載されている。
【０００５】
さらに、通信回線の障害に対応するために、風力発電装置内には通信ネットワークに接続するためのスイッチングハブが設置され、冗長化のために、ウインドファーム内でリングトポロジーを構成する場合がある。
そして、リングトポロジーを実現する風力発電装置側のスイッチングハブが不調、あるいは故障した場合、スイッチングハブの電源リセットを実施することによって、不調等を解消する場合がある。電源リセットによって、スイッチングハブを再起動するためには、第１の方法として、遠隔地である中央制御室の端末（情報処理装置）から対象の風力発電装置側のスイッチングハブに対し、ネットワーク経由でリセットコマンドを送信する方法があり、第２の方法として、風力発電装置にメンテナンス要員が出向き、スイッチングハブの電源を切入操作する方法がある。
【先行技術文献】
【特許文献】
【０００６】
【特許文献１】米国特許出願公開第２０１０／０１３５７８８号明細書
【特許文献２】特開２００９−１６４７５８号公報
【発明の概要】
【発明が解決しようとする課題】
【０００７】
しかしながら、第１の方法では、風力発電装置側のスイッチングハブが通信ネットワーク経由でコマンドを受信できない状態、つまり、通信ネットワークが確立していない状態(ｐｉｎｇコマンドに対する応答がない状態)では、遠隔地からのコマンド送信による不調の解消はできない。一方、第２の方法では、複数の風力発電装置側のスイッチングハブが不調である場合、リング接続が機能しない状態も考えられ、数十台〜１００台を越える風力発電装置から構成されているウインドファームでは、メンテナンス要員が駐在する事務所から当該風力発電装置までの移動に時間がかかり、復旧のための時間のロスが多大となる。特に、洋上に設置されたウインドファームでは、ヘリコプターや船によるメンテナンス要員の移動が必要となる。
【０００８】
本発明は、このような事情に鑑みてなされたものであって、風力発電装置側のスイッチングハブの不調によるデータ伝送の不具合を、遠隔地から解消することができる遠隔監視装置、発電システム、及び遠隔監視装置の制御方法を提供することを目的とする。
【課題を解決するための手段】
【０００９】
上記課題を解決するために、本発明の遠隔監視装置、発電システム、及び遠隔監視装置の制御方法は以下の手段を採用する。
【００１０】
すなわち、本発明に係る遠隔監視装置は、風力発電装置と情報処理装置との間でデータを送受信する遠隔監視装置であって、前記風力発電装置と情報処理装置との間におけるデータ伝送の中継を行う本設スイッチングハブと、前記風力発電装置と情報処理装置との間におけるデータ伝送の中継を行う予備スイッチングハブと、前記風力発電装置と情報処理装置との間におけるデータ伝送の中継を、前記本設スイッチングハブ又は前記予備スイッチングハブに切り替える切替手段と、前記データが送受信される伝送経路と同じ伝送経路によって、前記予備スイッチングハブを介して入力される情報処理装置からの切替信号に基づいて、前記切替手段による切り替えを実行する第１制御手段と、を備える。
【００１１】
本発明によれば、遠隔監視装置は、風力発電装置と情報処理装置との間でデータを送受信する。なお、遠隔監視装置に接続される風力発電装置は、一つであっても複数であってもよく、遠隔監視装置に接続される情報処理装置は、風力発電装置に対して遠隔地に設けられている。さらに、遠隔監視装置は、風力発電装置と情報処理装置との間におけるデータ伝送の中継を行う本設スイッチングハブ及び予備スイッチングハブ、並びに風力発電装置と情報処理装置との間におけるデータ伝送の中継を、本設スイッチングハブ又は予備スイッチングハブに切り替える切替手段を備える。
【００１２】
そして、予備スイッチングハブに接続されている第１制御手段によって、予備スイッチングハブを介して入力される情報処理装置からの切替信号に基づいて、切替手段による切り替えが実行される。
【００１３】
通常、風力発電装置と情報処理装置との間におけるデータ伝送は、本設スイッチングハブを介して行われる。なお、通常の場合でも、予備スイッチングハブの電源はオンとされている。
ここで、本設スイッチングハブが不調となり、本設スイッチングハブを介した風力発電装置と情報処理装置との間におけるデータ伝送に不具合が生じた場合、遠隔地に設けられている情報処理装置が、本設スイッチングハブから予備スイッチングハブに切り替える切替信号を予備スイッチングハブへ送信する。予備スイッチングハブは、切替信号を第１制御手段に入力し、第１制御手段は、風力発電装置と情報処理装置との間におけるデータ伝送の中継を本設スイッチングハブから予備スイッチングハブに切り替えるように、切替手段を制御する。
【００１４】
従って、本発明は、風力発電装置側のスイッチングハブの不調によるデータ伝送の不具合を、遠隔地から解消することができる。
【００１５】
また、本発明の遠隔監視装置は、前記第１制御手段が、前記予備スイッチングハブを介して入力される情報処理装置からのリセット信号に基づいて、前記本設スイッチングハブに対する電源のオン及びオフを実行する。
【００１６】
本発明によれば、予備スイッチングハブを介して入力される情報処理装置からのリセット信号に基づいて、第１制御手段が本設スイッチングハブに対する電源のオン及びオフを実行するので、本設スイッチングハブの電源リセットを遠隔地から行うことができる。
【００１７】
また、本発明の遠隔監視装置は、前記第１制御手段が、前記予備スイッチングハブを介して入力される情報処理装置からのリセット信号に基づいて、前記風力発電装置を制御する風車制御装置に対する電源のオン及びオフを実行してもよい。
【００１８】
本発明によれば、予備スイッチングハブを介して入力される情報処理装置からのリセット信号に基づいて、第１制御手段が風車制御装置に対する電源のオン及びオフを実行するので、風車制御装置の電源リセットを遠隔地から行うことができる。
【００１９】
また、本発明の遠隔監視装置は、前記本設スイッチングハブに接続されると共に、前記予備スイッチングハブに対する電源のオン及びオフを、前記本設スイッチングハブを介して入力される情報処理装置からのリセット信号に基づいて実行する第２制御手段を備えてもよい。
【００２０】
本発明によれば、本設スイッチングハブに接続される第２制御手段によって、予備スイッチングハブに対する電源のオン及びオフを、予備スイッチングハブを介して入力される情報処理装置からのリセット信号に基づいて実行するので、予備スイッチングハブの電源リセットを遠隔地から行うことができる。
これにより、本設スイッチングハブが正常に機能している状態において、予備スイッチングハブに不調が発見された場合に、電源リセットによる不調の解消を実行することができ、予備スイッチングハブを正常に保つことができる。
【００２１】
また、本発明の遠隔監視装置は、風力発電装置を制御する風車制御装置から受信した前記風力発電装置の運転状態を示す運転データを、通信回線を介して遠隔地に設置された情報処理装置へ送信してもよい。
【００２２】
本発明によれば、風力発電装置の運転データを遠隔地に設置された情報処理装置へ送信するので、メンテナンス要員は、風力発電装置へ出向くことなく、遠隔地において風力発電装置の運転データを収集すると共に、運転状態をリアルタイムで確認することができる。
【００２３】
また、本発明の遠隔監視装置は、前記本設スイッチングハブ及び前記予備スイッチングハブが、前記風力発電装置を操作するための可搬型の情報処理端末から送信された制御信号を前記風力発電装置へ送信するためのポートを設けられてもよい。
【００２４】
本発明によれば、可搬型の情報処理端末からの風力発電装置の制御信号が、本設スイッチングハブ又は予備スイッチングハブを介して風力発電装置へ送信されるので、可搬型の情報処理端末を用いて遠隔地から、風力発電装置に対する各種メンテナンス等を行うことができる。
【００２５】
一方、本発明に係る風力発電システムは、風力発電装置、及び上記記載の遠隔監視装置が洋上に設置され、前記第１制御手段は、陸上に設置された情報処理装置からの切替信号に基づいて、前記切替手段による切り替えを実行する。
【００２６】
さらに、本発明に係る遠隔監視装置の制御方法は、風風力発電装置と情報処理装置との間でデータを送受信するために、前記風力発電装置と情報処理装置との間におけるデータ伝送の中継を行う本設スイッチングハブ、前記風力発電装置と情報処理装置との間におけるデータ伝送の中継を行う予備スイッチングハブ、及び前記風力発電装置と情報処理装置との間におけるデータ伝送の中継を、前記本設スイッチングハブ又は前記予備スイッチングハブに切り替える切替手段を備える遠隔監視装置の制御方法であって、前記データが送受信される伝送経路と同じ伝送経路によって、前記予備スイッチングハブを介して入力される情報処理装置からの切替信号に基づいて、前記切替手段による切り替えを実行すると共に、前記予備スイッチングハブを介して入力される情報処理装置からのリセット信号に基づいて、前記本設スイッチングハブに対する電源のオン及びオフを実行する。
【発明の効果】
【００２７】
本発明によれば、風力発電装置側のスイッチングハブの不調によるデータ伝送の不具合を、遠隔地から解消することができる、という優れた効果を有する。
【図面の簡単な説明】
【００２８】
【図１】本発明の実施形態に係る風力発電システムの通信構成を示すブロック図である。
【図２】本発明の実施形態に係る本設用スイッチングハブ及び予備スイッチングハブに接続されている機器の関係を示すブロック図である。
【図３】本発明の実施形態に係る運転データがＳＣＡＤＡ端末に表示されない場合に行われる、電源リセットの処理の流れを示したフローチャートである。
【図４】本発明の実施形態に係る遠隔操作による電源リセットを行う場合にＳＣＡＤＡ端末に表示される画面を示す図である。
【図５】本発明の実施形態に係る本設リモートＩ／Ｏの自己診断機能によって本設系統に異常が発見された場合に行われる、本設リモートＩ／Ｏに対する電源リセットの処理の流れを示したフローチャートである。
【図６】本発明の実施形態に係る本設リモートＩ／Ｏの自己診断機能によって予備系統に異常が発見された場合に行われる、予備スイッチングハブに対する電源リセットの処理の流れを示したフローチャートである。
【図７】本発明の実施形態に係る本設リモートＩ／Ｏの自己診断機能によって本設系統に異常が発見された場合に行われる、予備リモートＩ／Ｏに対する電源リセットの処理の流れを示したフローチャートである。
【図８】従来のＨＯＴと風車制御装置との接続関係を示した図である。
【図９】本発明の実施形態に係るメンテナンス操作を行う事由が発生した場合における処理の流れを示したフローチャートである。
【図１０】本発明の実施形態に係るＨＯＴに表示されるメニュー画面を示す図である。
【図１１】本発明の実施形態に係るメンテナンス操作を行う場合におけるＨＯＴに表示されるメニュー画面を示す図である。
【図１２】本発明の実施形態に係るメンテナンス操作を行う場合におけるＨＯＴに表示されるメニュー画面を示す図である。
【図１３】本発明の実施形態に係るＨＯＴに表示される「制御油システム」を押すことによって、ＨＯＴに表示されるメンテナンス操作画面を示す図である。
【図１４】本発明の実施形態に係るＨＯＴに表示される「ヨーシステム」を押すことによって、ＨＯＴに表示されるメンテナンス操作画面を示す図である。
【図１５】本発明の実施形態に係るＨＯＴに表示される「冷却システム」を押すことによって、ＨＯＴに表示されるメンテナンス操作画面を示す図である。
【発明を実施するための形態】
【００２９】
以下に、本発明に係る遠隔監視装置、発電システム、及び遠隔監視装置の制御方法の一実施形態について、図面を参照して説明する。
【００３０】
図１は、本実施形態に係る風力発電システム１０の通信構成を示すブロック図である。
図１に示されるようにウインドファームである風力発電システム１０は、風力発電装置１２、ＳＣＡＤＡ（機側装置）１４、及びＳＣＡＤＡ（中央操作室）１６を備える。本実施形態に係る風力発電システム１０は、一例として、風力発電装置１２及びＳＣＡＤＡ１４が、洋上に設置される。一方、ＳＣＡＤＡ１６が、風力発電装置１２から電力が送電される陸上の変電所に設置される。また、ＳＣＡＤＡ１４とＳＣＡＤＡ１６は、各々光成端箱２０Ａ，２０Ｂを備え、光ケーブル２２によって通信（一例としてＥｔｈｅｒｎｅｔ）による通信）が可能とされている。
【００３１】
なお、風力発電システム１０をメンテナンスするメンテナンス要員は、一例として、ＳＣＡＤＡ１６に常駐するが、ＳＣＡＤＡ１６とは異なる他の場所に常駐していてもよい。
【００３２】
そして、本実施形態に係る風力発電装置１２は、ＳＣＡＤＡ１４を介してＳＣＡＤＡ１６に備えられた情報処理装置（保守端末３６Ｃ、保守端末３６Ｄ）、クライアント端末６６との間で各種データの送受信が行われ、ＳＣＡＤＡ１６に備えられた保守端末並びにクライアント端末６６によって各種制御が可能とされている。なお、各種データとは、風力発電装置１２から送信される運転データ（トリップデータも含む）や、ＳＣＡＤＡ１６に備えられた保守端末並びにクライアント端末６６から送信される風力発電装置１２を制御するための制御信号等である。
なお、保守端末３６Ｄは、風力発電装置１２のトリップデータの信号設定、制御用ソフトウェア変更、制御パラメータの収集や変更、後述する風車制御装置３０の日付や時刻設定、風車制御装置内ＮＶＲＡＭ（Non  Volatile  RAM：不揮発性RAM）が記憶しているデータの収集や変更、ＳＣＡＤＡ１４よりも高速サンプリング可能な運転データの取得等が可能とされている。
【００３３】
次に、風力発電装置１２、ＳＣＡＤＡ１４、及びＳＣＡＤＡ１６の各電気的構成について説明する。
【００３４】
風力発電装置１２は、風力発電装置１２全体の制御を司る風車制御装置３０をそのナセル内に備えている。
【００３５】
風車制御装置３０は、風力発電装置１２を構成する各種機器から出力されるデータが入力され、風力発電装置１２の運転状態を示す運転データを生成する。
風車制御装置３０は、スイッチングハブ（ＳＷ−ＨＵＢ）３２Ａと接続され、スイッチングハブ３２Ａには、リモートＩ／Ｏ３４Ａ及び保守端末３６Ａ、並びに風力発電装置１２のタワー下に設けられたスイッチングハブ３２Ｂが接続されている。
【００３６】
なお、本実施形態で用いられている各スイッチングハブは、異なる伝送媒体を接続し、信号を相互に変換するためのメディアコンバータ（Ｍ／Ｃ）の機能も有している。また、以下の説明において、各機器間における通信規格（プロトコル等）は、特に言及しない限り、従来既知の何れの通信規格が用いられてもよい。
【００３７】
スイッチングハブ３２Ｂには、リモートＩ／Ｏ３４Ｂ及び保守端末３６Ｂ、並びにＳＣＡＤＡ１４に備えられるネットワーク切替器４６（詳細は後述）が接続されている。
また、風車制御装置３０は、メディアコンバータ３８Ａを介して、シリアル通信（例えばＲＳ−２３２Ｃ）によってＳＣＡＤＡ１４と通信可能とされている。
【００３８】
さらに、風車制御装置３０には、コンバータ制御装置４０が接続されている。コンバータ制御装置４０は、風力発電装置１２が備えている電力変換装置用の制御装置であり、コンバータ制御装置４０においても運転データが生成される。
コンバータ制御装置４０も、メディアコンバータ３８Ｂを介して、シリアル通信（例えばＲＳ−２３２Ｃ）によってＳＣＡＤＡ１４と通信可能とされている。
【００３９】
ＳＣＡＤＡ１４は、風力発電装置１２とＳＣＡＤＡ１６が備える端末との間におけるデータ伝送の中継を行う本設スイッチングハブ４２及び予備スイッチングハブ４４、並びに風力発電装置１２とＳＣＡＤＡ１６が備える端末との間におけるデータ伝送の中継を、本設スイッチングハブ４２又は予備スイッチングハブ４４に切り替えるネットワーク切替器４６を備える。
通常、風力発電装置１２とＳＣＡＤＡ１６が備える端末との間におけるデータ伝送は、本設スイッチングハブ４２を介して行われる。なお、通常の場合でも、予備スイッチングハブ４４の電源はオンとされている。
【００４０】
そして、予備スイッチングハブ４４には、予備リモートＩ／Ｏ４８が接続されており、予備リモートＩ／Ｏ４８によって、予備スイッチングハブ４４を介して入力される保守端末並びにクライアント端末６６からの切替コマンドに基づいて、ネットワーク切替器４６による切り替えが実行される。なお、予備リモートＩ／Ｏ４８は、予備スイッチングハブ４４を介して入力される保守端末並びにクライアント端末６６からのリセットコマンドに基づいて、本設スイッチングハブ４２又は風車制御装置３０に対する電源のオン及びオフも実行可能とされている。
【００４１】
また、本設スイッチングハブ４２には、本設リモートＩ／Ｏ５０が接続されており、本設リモートＩ／Ｏ５０は、予備スイッチングハブ４４に対する電源のオン及びオフを、本設スイッチングハブ４２を介して入力される保守端末並びにクライアント端末６６からのリセットコマンドに基づいて実行可能とされている。
さらに、本設リモートＩ／Ｏ５０には、本設系統（本設スイッチングハブ４２と本設リモートＩ／Ｏ５０とを含む伝送系統）と予備系統（予備スイッチングハブ４４と予備リモートＩ／Ｏ４８とを含む伝送系統）とのネットワーク状態の正常性を監視する自己診断機能が備えられている。自己診断機能は、例えば、本設系統又は予備系統を構成する機器に対して所定間隔で、所定信号を送信し、所定信号に対応した信号の返信の有無によってネットワーク状態の正常性を監視する。
【００４２】
図２は、本設スイッチングハブ４２と予備スイッチングハブ４４が備える各ポートに接続されている機器の関係を示したブロック図である。
【００４３】
図２に示されるように、本設スイッチングハブ４２は、電源スイッチ５０Ａを介して、予備スイッチングハブ４４は、電源スイッチ５０Ｂを介して、電源５２から電力の供給を受ける。
そして、電源スイッチ５０Ａは、予備スイッチングハブ４４に接続されている予備リモートＩ／Ｏ４８からのリセットコマンドに応じて、本設スイッチングハブ４２への電力のオン及びオフを行う。一方、電源スイッチ５０Ｂは、本設スイッチングハブ４２に接続されている本設リモートＩ／Ｏ５０からのリセットコマンドに応じて、予備スイッチングハブ４４への電力のオン及びオフを行う。
【００４４】
さらに、風車制御装置３０、スイッチングハブ３２Ａ、スイッチングハブ３２Ｂ、及びリモートＩ／Ｏ３４Ｂは、電源スイッチ５０Ｃを介して電力の供給を受けるが、電源スイッチ５０Ｃは、予備スイッチングハブ４４に接続されている予備リモートＩ／Ｏ４８からのリセットコマンドに応じて、風車制御装置３０、スイッチングハブ３２Ａ、スイッチングハブ３２Ｂ、及びリモートＩ／Ｏ３４Ｂへの電力のオン及びオフを行う。
【００４５】
また、図示は省略するが、予備リモートＩ／Ｏ４８は、本設リモートＩ／Ｏ５０の電源リセットが可能とされ、本設リモートＩ／Ｏ５０は、予備リモートＩ／Ｏ４８の電源リセットが可能とされている。
【００４６】
そして、本設スイッチングハブ４２及び予備スイッチングハブ４４は、ネットワーク切替器４６を介して各種機器が接続されている。
ネットワーク切替器４６は、複数のＥｔｈｅｒｎｅｔ切替器４６Ａ（Ｅｔｈｅｒｎｅｔ切替器４６Ａ−１〜Ｅｔｈｅｒｎｅｔ切替器４６Ａ−５）で構成されている。
【００４７】
具体的には、本設スイッチングハブ４２及び予備スイッチングハブ４４は、Ｅｔｈｅｒｎｅｔ切替器４６Ａ−１を介し変換器５４Ａが接続され、Ｅｔｈｅｒｎｅｔ切替器４６Ａ−２を介してスイッチングハブ３２Ｂが接続され、Ｅｔｈｅｒｎｅｔ切替器４６Ａ−３を介して本設リモートＩ／Ｏ５０が接続され、Ｅｔｈｅｒｎｅｔ切替器４６Ａ−４を介してＲＴＵ（Remote  Terminal  Unit）５６が接続され、Ｅｔｈｅｒｎｅｔ切替器４６Ａ−５を介して変換器５４Ｂが接続されている。
【００４８】
なお、変換器５４Ａは、シリアル通信（ＲＳ−２３２Ｃ）とＥｔｈｅｒｎｅｔ通信とを変換し、メディアコンバータ３８Ａを介して風車制御装置３０と接続される。
ＲＴＵ５６は、風力発電装置１２から送信されてくる運転データを逐次記憶する。
変換器５４Ｂは、メディアコンバータ３８Ｂを介してコンバータ制御装置４０と接続される。
【００４９】
また、本設スイッチングハブ４２及び予備スイッチングハブ４４は、各々光成端箱２０Ａが接続され、光ケーブル２２及び光成端箱２０Ｂを介して、ＳＣＡＤＡ１６に設置されたスイッチングハブ３２Ｃと接続される。光ケーブル２２は、一例として、本設系統及び予備系統毎に１組ずつ設けられているが、これに限らず、本設系統及び予備系統毎に２組以上でもよいし、本設系統及び予備系統とで分けなくてもよい。
【００５０】
スイッチングハブ３２Ｃの各ポートには、ＳＣＡＤＡ１６に設置されている変換器５４Ｃ、ネットワーク監視用端末６０、ＷＥＢサーバー６２、ＤＢサーバー６４、保守端末３６Ｃ、保守端末３６Ｄ、変換器５４Ｄ、及びインターネット回線６５を介してクライアント端末６６が接続されている。
【００５１】
変換器５４Ｃ及び変換器５４Ｄは、Ｅｔｈｅｒｎｅｔ通信とシリアル通信とを変換し、変換器５４Ｃには、風力発電装置１２を操作するための制御信号を、シリアル通信で風力発電装置１２へ送信するための可搬型の情報処理端末であるＨＯＴ（Handy  Operation  Terminal）６８が接続可能とされている。
【００５２】
ネットワーク監視用端末６０は、従来既知のネットワーク監視用のプロトコル（ソフトウェア）等を用いて、ＳＣＡＤＡ１４，１６、風力発電装置１２で構成される通信ネットワークの正常性を監視する。
【００５３】
ＤＢサーバー６４は、ＳＣＡＤＡ１４を介して送信されてくる風力発電装置１２の運転データを逐次記憶する。
【００５４】
保守端末３６Ｃ及びクライアント端末６６は、ＳＣＡＤＡ１４を介して送信されてくる運転データをＷＥＢサーバー６２経由でその画面に表示したり、ＳＣＡＤＡ１４へコマンドを送信する端末（以下、「ＳＣＡＤＡ端末」という。）である。
【００５５】
保守端末３６Ｄは、保守端末３６Ｃと同様にＳＣＡＤＡ端末であるが、風力発電装置１２へ制御信号を送信することによって、風力発電装置１２の操作が可能とされている。すなわち、上述したＨＯＴ６８と同様の機能を有している。なお、変換器５４Ｄを介してシリアル通信で風力発電装置１２に接続されていることから、コンバータ制御装置４０から送信される運転データを逐次記憶することができる。
【００５６】
次に、風力発電装置１２とＳＣＡＤＡ１６が備える端末との間におけるデータ伝送に不具合が生じた場合、すなわちＳＣＡＤＡ１６に設置されているＳＣＡＤＡ端末である保守端末３６Ｃや保守端末３６Ｄに、ＳＣＡＤＡ１４を介して送信される風力発電装置１２の運転データが表示されない場合における、本実施形態に係る風力発電システム１０の作用について、従来のＳＣＡＤＡと共に説明する。
【００５７】
従来のＳＣＡＤＡ、すなわち、予備スイッチングハブ４４を備えていないＳＣＡＤＡでは、データ伝送の不具合が生じた場合であって、ＳＣＡＤＡに備えられているスイッチングハブや風力発電装置１２に備えられているスイッチングハブに不具合が発見された場合、風力発電装置１２までメンテナンス要員が、駐在している場所（中央操作室）から遠隔地である風力発電装置１２まで出向き、復旧の手段として、各スイッチングハブを電源リセットする必要があった。そして、電源リセットによっても不具合が解消されない場合に、故障したネットワーク機器の交換や修理を行っていた。
【００５８】
一方、本実施形態に係る予備スイッチングハブ４４を備えたＳＣＡＤＡ１４では、まず、ＳＣＡＤＡ端末である保守端末３６Ｃ又は保守端末３６Ｄをメンテナンス要員が操作することによって、切替コマンドをＳＣＡＤＡ端末から予備スイッチングハブ４４へ送信する。予備スイッチングハブ４４は、切替コマンドを予備リモートＩ／Ｏ４８へ出力する。
【００５９】
予備リモートＩ／Ｏ４８は予備スイッチングハブ４４を介して入力される切替コマンドに基づいて、ネットワーク切替器４６による伝送経路の切り替えを実行する。なお、切替コマンドには、データの伝送経路を本設スイッチングハブ４２から予備スイッチングハブ４４へ切り替える予備切替コマンドと、データの伝送経路を予備スイッチングハブ４４から本設スイッチングハブ４２へ切り替える本設切替コマンドとがある。
すなわち、本設スイッチングハブ４４に不調が生じた場合は、予備切替コマンドが、ＳＣＡＤＡ端末から予備スイッチングハブ４４を介して予備リモートＩ／Ｏ４８へ入力される。従って、データの伝送経路は、本設スイッチングハブ４２から予備スイッチングハブ４４へ切り替えられ、本設スイッチングハブ４２が不調となっても、データ伝送の不具合は解消される。
【００６０】
これにより、本実施形態に係る風力発電システム１０は、本設スイッチングハブ４２の不調によるデータ伝送の不具合を、風力発電装置１２までメンテナンス要員が出向くことなく、遠隔地から解消することができる。
【００６１】
なお、その後、本設スイッチングハブ４２の不調が解消された場合は、本設切替コマンドが、ＳＣＡＤＡ端末から予備スイッチングハブ４４を介して予備リモートＩ／Ｏ４８へ入力され、データの伝送経路が予備スイッチングハブ４４から本設スイッチングハブ４２へ戻される。
【００６２】
次に、本実施形態に係る風力発電システム１０において、風力発電装置１２やＳＣＡＤＡ１４に備えられているネットワーク機器の電源リセットを行うことによって、データ伝送の不具合を解消する場合について説明する。
【００６３】
図３は、本設系統の異常、つまり運転データがＳＣＡＤＡ端末に表示されない場合、また、風車制御装置３０の処理停止と想定される場合に行われる、電源リセットの処理の流れを示している。この場合におけるデータの伝送経路は、故障探求作業の一環として、後述するステップ１０４とステップ１０６の間で本設スイッチングハブ４２から予備スイッチングハブ４４へ切り替えられている。
【００６４】
まず、ステップ１００では、本設スイッチングハブ４２に対して電源リセットを行う。この電源リセットは、ＳＣＡＤＡ端末からのリモートコマンドにより、本設スイッチングハブ４２へリセットコマンドを送信することによって行われる。
【００６５】
次のステップ１０２では、ＳＣＡＤＡ端末に風力発電装置１２からＳＣＡＤＡ１４を介して送信されてくる運転データが表示されるか否かを、メンテナンス要員、又は、ネットワーク監視用端末６０が判断する。表示される場合は、データ転送の不具合が解消したため本処理を終了する一方、表示されない場合は、ステップ１０４へ移行する。
【００６６】
ステップ１０４では、ＳＣＡＤＡ１４を介した風力発電装置１２とＳＣＡＤＡ端末との間の通信経路、ケーブル、電源、スイッチングハブ等に異常がないか否かを、ネットワーク監視用端末６０等を用いて、メンテナンス要員が判断する。異常が無い場合は、本処理を終了し、他の原因（ＳＣＡＤＡ端末の故障等）を解消させることによって、データ転送の不具合を解消させる一方、異常がある場合は、ステップ１０６へ移行する。
【００６７】
ステップ１０６では、本設スイッチングハブ４２を遠隔操作によって電源リセットする。すなわち、ＳＣＡＤＡ端末から、予備スイッチングハブ４４を介して予備リモートＩ／Ｏ４８へ本設スイッチングハブ４２を電源リセットするためのリセットコマンドが送信される。予備リモートＩ／Ｏ４８は、該リセットコマンドを電源スイッチ５０Ａへ送信し、電源スイッチ５０Ａに本設スイッチングハブ４２の電源リセットを行わせる。
【００６８】
この遠隔操作による電源リセットを行う場合にＳＣＡＤＡ端末に表示される遠隔メンテナンス画面６９を図４に示す。
図４に示される遠隔メンテナンス画面６９には、遠隔操作による電源リセットを行うことができるネットワーク機器の一覧が表示され、メンテナンス要員は、電源リセットを行う対象となるネットワーク機器を選択（「リセット」のクリック）することによって、遠隔操作による電源リセットを行う。
なお、一覧として表示されているネットワーク機器のうち、「ＲＴＵ」はＲＴＵ５６を電源リセットすることを示し、「ＳＷ−ＨＵＢ−３」は本設スイッチングハブ４２の電源リセットを示し、「ＳＷ−ＨＵＢ−４」は予備スイッチングハブ４４の電源リセットを示し、「ＣＮＶ−１」は変換器５４Ａの電源リセットを示し、「ＣＮＶ−２」は変換器５４Ｂの電源リセットを示し、「Ｒ−Ｉ／Ｏ−３」は本設リモートＩ／Ｏ５０の電源リセットを示し、「Ｒ−Ｉ／Ｏ−４」は予備リモートＩ／Ｏ４８の電源リセットを示し、ハードＳＳはハードウェアによるセーフティシステムの電源リセットを示し、「風車制御装置電源」は風車制御装置３０、スイッチングハブ３２Ａ、スイッチングハブ３２Ｂ、及びリモートＩ／Ｏ３４Ｂの電源リセットを示す。
【００６９】
なお、遠隔メンテナンス画面６９によって、本設スイッチングハブ４２と予備スイッチングハブ４４との切り替えが可能とされている。
【００７０】
次のステップ１０８では、ＳＣＡＤＡ端末に風力発電装置１２からＳＣＡＤＡ１４を介して送信されてくる運転データが表示されるか否かを、メンテナンス要員、又は、ネットワーク監視用端末６０が判断する。表示される場合は、データ転送の不具合が解消したため本処理を終了する一方、表示されない場合は、ステップ１１０へ移行する。
【００７１】
ステップ１１０では、風車制御装置３０を遠隔操作によって電源リセットする。すなわち、メンテナンス要員が、図４に示される遠隔メンテナンス画面６９における「風車制御装置電源」を選択することによって、風車制御装置３０、スイッチングハブ３２Ａ、及びスイッチングハブ３２Ｂの電源リセットを行う。これにより、ＳＣＡＤＡ端末から、予備スイッチングハブ４４を介して予備リモートＩ／Ｏ４８へ風車制御装置３０、スイッチングハブ３２Ａ、及びスイッチングハブ３２Ｂを電源リセットするためのリセットコマンドが送信される。予備リモートＩ／Ｏ４８は、該リセットコマンドを電源スイッチ５０Ｃへ送信し、電源スイッチ５０Ｃに風車制御装置３０、スイッチングハブ３２Ａ、及びスイッチングハブ３２Ｂの電源リセットを行わせる。
【００７２】
次のステップ１１２では、ＳＣＡＤＡ端末に風力発電装置１２からＳＣＡＤＡ１４を介して送信されてくる運転データが表示されるか否かを、メンテナンス要員、又は、ネットワーク監視用端末６０が判断する。表示される場合は、データ転送の不具合が解消したため本処理を終了する一方、表示されない場合は、ステップ１１４へ移行する。
【００７３】
ステップ１１４では、電源リセットによって、データ伝送の不具合が解消されないため、メンテナンス要員が風力発電装置１２及びＳＣＡＤＡ１４まで出向き、ネットワーク機器の故障修理を行い、本処理を終了する。なお、風力発電装置１２及びＳＣＡＤＡ１４へ出向くのは、次のメンテナンス時でもよい。
【００７４】
以上のように、本実施形態に係る風力発電システム１０では、機器の故障でない限り、メンテナンス要員が風力発電装置１２及びＳＣＡＤＡ１４まで出向くことなく、ＳＣＡＤＡ１６からネットワーク機器の電源リセットを行うことができるため、データ伝送の不具合の解消に要する時間を短縮することができる。
【００７５】
図５は、本設リモートＩ／Ｏ５０の自己診断機能によって本設リモートＩ／Ｏ５０に異常が発見された場合に行われる、本設リモートＩ／Ｏ５０に対する電源リセットの処理の流れを示している。この場合におけるデータの伝送経路は、異常の発見と共にメンテナンス要員によって本設スイッチングハブ４２から予備スイッチングハブ４４へ切り替えられる。
【００７６】
まず、ステップ２００では、本設リモートＩ／Ｏ５０に対して電源リセットを行う。この電源リセットは、ＳＣＡＤＡ端末からのリモートコマンドにより、本設スイッチングハブ４２を介して本設リモートＩ／Ｏ５０へリセットコマンドを送信することによって行われる。
【００７７】
次のステップ２０２では、本設リモートＩ／Ｏ５０の自己診断機能によって本設系統の異常が解消されたか否かを判定し、解消された場合は本処理を終了する一方、解消されない場合はステップ２０４へ移行する。
【００７８】
ステップ２０４では、ＳＣＡＤＡ１４を介した風力発電装置１２とＳＣＡＤＡ端末との間の通信経路、ケーブル、電源、スイッチングハブ等に異常がないか否かを、ネットワーク監視用端末６０等を用いて、メンテナンス要員が判断する。異常が無い場合は、本処理を終了し、他の原因（ＳＣＡＤＡ端末の故障等）を解消させることによって、本設系統の異常を解消させる一方、異常がある場合は、ステップ２０６へ移行する。
【００７９】
ステップ２０６では、本設リモートＩ／Ｏ５０を遠隔操作によって電源リセットする。すなわち、メンテナンス要員が、図４に示される遠隔メンテナンス画面６９における「Ｒ−Ｉ／Ｏ−３」を選択することによって、本設リモートＩ／Ｏ５０の電源リセットを行う。これにより、ＳＣＡＤＡ端末から、予備スイッチングハブ４４を介して予備リモートＩ／Ｏ４８へ本設リモートＩ／Ｏ５０を電源リセットするためのリセットコマンドが送信される。予備リモートＩ／Ｏ４８は、該リセットコマンドを本設リモートＩ／Ｏ５０に対応する電源スイッチ５０Ａへ送信し、該電源スイッチに本設リモートＩ／Ｏ５０の電源リセットを行わせる。なお、本設リモートＩ／Ｏ５０への電力は、電源５２から電源スイッチ５０Ａ、電源スイッチ５０Ａから本設リモートＩ／Ｏ５０の順で供給されている。
【００８０】
次のステップ２０８では、本設リモートＩ／Ｏ５０の自己診断機能によって本設系統の異常が解消されたか否かを判定し、解消された場合は本処理を終了する一方、解消されない場合はステップ２１０へ移行する。
【００８１】
ステップ２１０では、電源リセットによって、本設系統の異常が解消されないため、メンテナンス要員が風力発電装置１２及びＳＣＡＤＡ１４まで出向き、ネットワーク機器の故障修理を行い、本処理を終了する。なお、風力発電装置１２及びＳＣＡＤＡ１４へ出向くのは、次のメンテナンス時でもよい。
【００８２】
図６は、ネットワーク監視用端末６０の診断機能によって予備系統に異常が発見された場合に行われる、予備スイッチングハブ４４に対する電源リセットの処理の流れを示している。この場合におけるデータの伝送経路は、本設スイッチングハブ４２のままとされている。
【００８３】
まず、ステップ３００では、予備スイッチングハブ４４に対して電源リセットを行う。この電源リセットは、ＳＣＡＤＡ端末からのリモートコマンドにより、予備スイッチングハブ４４へリセットコマンドを送信することによって行われる。
【００８４】
次のステップ３０２では、ネットワーク監視用端末６０の診断機能によって予備系統の異常が解消されたか否かを判定し、解消された場合は本処理を終了する一方、解消されない場合はステップ３０４へ移行する。
【００８５】
ステップ３０４では、ＳＣＡＤＡ１４を介した風力発電装置１２とＳＣＡＤＡ端末との間の通信経路、ケーブル、電源、スイッチングハブ等に異常がないか否かを、ネットワーク監視用端末６０等を用いて、メンテナンス要員が判断する。異常が無い場合は、本処理を終了し、他の原因（ＳＣＡＤＡ端末の故障等）を解消させることによって、予備系統の異常を解消させる一方、異常がある場合は、ステップ３０６へ移行する。
【００８６】
ステップ３０６では、予備スイッチングハブ４４を遠隔操作によって電源リセットする。すなわち、メンテナンス要員が、図４に示される遠隔メンテナンス画面６９における「ＳＷ−ＨＵＢ−４」を選択することによって、予備スイッチングハブ４４の電源リセットを行う。これにより、ＳＣＡＤＡ端末から、本設スイッチングハブ４２を介して本設リモートＩ／Ｏ５０へ予備スイッチングハブ４４を電源リセットするためのリセットコマンドが送信される。本設リモートＩ／Ｏ５０は、該リセットコマンドを予備スイッチングハブ４４に対応する電源スイッチ５０Ｂへ送信し、該電源スイッチ５０Ｂに予備スイッチングハブ４４の電源リセットを行わせる。
【００８７】
次のステップ３０８では、ネットワーク監視用端末６０の診断機能によって予備系統の異常が解消されたか否かを判定し、解消された場合は本処理を終了する一方、解消されない場合はステップ３１０へ移行する。
【００８８】
ステップ３１０では、電源リセットによって、予備系統の異常が解消されないため、メンテナンス要員が風力発電装置１２及びＳＣＡＤＡ１４まで出向き、ネットワーク機器の故障修理を行い、本処理を終了する。なお、風力発電装置１２及びＳＣＡＤＡ１４へ出向くのは、次のメンテナンス時でもよい。
【００８９】
図７は、ネットワーク監視用端末６０の診断機能によって予備リモートＩ／Ｏ４８に異常が発見された場合に行われる、予備リモートＩ／Ｏ４８に対する電源リセットの処理の流れを示している。この場合におけるデータの伝送経路は、本設スイッチングハブ４２のままとされている。
【００９０】
まず、ステップ４００では、予備リモートＩ／Ｏ４８に対して電源リセットを行う。この電源リセットは、ＳＣＡＤＡ端末からのリモートコマンドにより、予備スイッチングハブ４４を介して予備リモートＩ／Ｏ４８へリセットコマンドを送信することによって行われる。
【００９１】
次のステップ４０２では、ネットワーク監視用端末６０の診断機能によって予備リモートＩ／Ｏ４８の異常が解消されたか否かを判定し、解消された場合は本処理を終了する一方、解消されない場合はステップ４０４へ移行する。
【００９２】
ステップ４０４では、ＳＣＡＤＡ１４を介した風力発電装置１２とＳＣＡＤＡ端末との間の通信経路、ケーブル、電源、スイッチングハブ等に異常がないか否かを、ネットワーク監視用端末６０等を用いて、メンテナンス要員が判断する。異常が無い場合は、本処理を終了し、他の原因（ＳＣＡＤＡ端末の故障等）を解消させることによって、予備系統の異常を解消させる一方、異常がある場合は、ステップ４０６へ移行する。
【００９３】
ステップ４０６では、予備リモートＩ／Ｏ４８を遠隔操作によって電源リセットする。すなわち、メンテナンス要員が、図４に示される遠隔メンテナンス画面６９における「Ｒ−Ｉ／Ｏ−４」を選択することによって、予備リモートＩ／Ｏ４８の電源リセットを行う。これにより、ＳＣＡＤＡ端末から、本設スイッチングハブ４２を介して本設リモートＩ／Ｏ５０へ予備リモートＩ／Ｏ４８を電源リセットするためのリセットコマンドが送信される。本設リモートＩ／Ｏ５０は、該リセットコマンドを予備リモートＩ／Ｏ４８に対応する電源スイッチ５０Ｂへ送信し、該電源スイッチに予備リモートＩ／Ｏ４８の電源リセットを行わせる。
【００９４】
次のステップ４０８では、ネットワーク監視用端末６０の診断機能によって予備リモートＩ／Ｏ４８の異常が解消されたか否かを判定し、解消された場合は本処理を終了する一方、解消されない場合はステップ４１０へ移行する。
【００９５】
ステップ４１０では、電源リセットによって、予備系統の異常が解消されないため、メンテナンス要員が風力発電装置１２及びＳＣＡＤＡ１４まで出向き、ネットワーク機器の故障修理を行い、本処理を終了する。なお、風力発電装置１２及びＳＣＡＤＡ１４へ出向くのは、次のメンテナンス時でもよい。
【００９６】
次に、本実施形態に係る風力発電システム１０において、遠隔地であるＳＣＡＤＡ１６から、風力発電装置１２をメンテナンス操作する場合について説明する。
【００９７】
従来の風力発電システム１０では、ＳＣＡＤＡを介してＳＣＡＤＡ１６から風力発電装置１２に対して、風力発電装置１２の起動及び停止、並びに警報リセットの操作程度しか可能ではなかった。
そのため、風力発電装置１２に対するメンテナンス操作を必要とする場合は、図８に示すように、メンテナンス要員がＨＯＴ６８を携え、風力発電装置１２まで出向き、ＲＳ−２３２Ｃによって制御盤７０を介して風車制御装置３０とＨＯＴ６８とを接続し、ＨＯＴ６８によって制御信号を風車制御装置３０へ送信することによって、風力発電装置１２のメンテナンス操作を行っていた。
すなわち、従来の風力発電システム１０では、メンテナンス操作の全てを風力発電装置１２で行う必要があった。
【００９８】
一方、本実施形態に係る風力発電システム１０では、Ｅｔｈｅｒｎｅｔ通信とＲＳ−２３２Ｃとを変換すると共に風車制御装置３０又はコンバータ制御装置４０に接続される変換器５４Ａ，５４Ｂが、ＳＣＡＤＡ１４の本設スイッチングハブ４２及び予備スイッチングハブ４４のポートに接続されている。そして、ＳＣＡＤＡ１６のスイッチングハブ３２ＣのポートにＥｔｈｅｒｎｅｔ通信とＲＳ−２３２Ｃとを変換する変換器５４Ｃ，５４Ｄが接続されている。従って、本実施形態に係る風力発電システム１０では、ＳＣＡＤＡ１６の変換器５４ＣにＨＯＴ６８を接続することで、メンテナンス要員によるＳＣＡＤＡ１６から風力発電装置１２のメンテナンス操作を可能としている。
【００９９】
図９は、メンテナンス操作を行う事由が発生した場合における処理の流れを示している。なお、メンテナンス操作を行う事由が発生した場合とは、例えば、セーフティシステム作動時の遠隔リセットを行う場合、ケーブルツイストが発生したことによって、ヨーリミットスイッチが作動したため、ヨーリミットバイパスやヨー巻き戻しを行う場合、警報発生時に各種電磁弁やモーターの単独操作を行う場合、復旧に時間を要するトラブルが発生し、冷却系の補機を操作する場合等である。
【０１００】
まず、ステップ５００では、ＨＯＴ６８を変換器５４Ｃへ接続する。
【０１０１】
次のステップ５０２では、ＨＯＴ６８を用いて風力発電装置１２をメンテナンスモードへ移行させる。
図１０は、ＨＯＴ６８に表示されるメニュー画面７２の一例を示す。ＨＯＴ６８には、風速、風向、ナセル方向等の風力発電装置１２の運転状態を示すデータが表示される。そして、ＨＯＴ６８には、「起動」、「停止」、「マニュアル」、「メンテナンス」等が表示され、「メンテナンス」と表示されたボタン７４が押されることによって、風力発電装置１２は、メンテナンスモードへ移行される。
【０１０２】
次のステップ５０４では、風力発電装置１２が備える機器に対するメンテナンス操作を、ＨＯＴ６８を用いて行う。
【０１０３】
図１１は、メンテナンス操作を行う場合におけるＨＯＴ６８に表示されるメニュー画面７４Ａの一例を示す。図１１に示されるように、メニュー画面７４Ａには、メンテナンス操作の対象となるシステム及び機器の一覧が表示され、ページ切替ボタン７６が押されることによって、図１２に示されるような他のメニュー画面７４ＢへＨＯＴ６８の画面が切り替わる。
そして、メンテナンス要員は、メニュー画面７４Ａ，７４Ｂに表示されるボタンを押すことによって、メンテナンス対象となるシステム又は機器を選択し、ＨＯＴ６８の画面をメンテナンス操作画面へ切り替える。
メンテナンス操作画面には、メンテナンスを行うための各種操作ボタン等が表示され、該操作ボタンをクリック等することによって、風力発電装置１２へ制御信号が送信される。
【０１０４】
図１３は、図１１に示される「制御油システム」を押すことによって、ＨＯＴ６８に表示されるメンテナンス操作画面７８Ａであり、各種ポンプやバルブ等のオン及びオフ等が選択可能とされている。
図１４は、図１１に示される「ヨーシステム」を押すことによって、ＨＯＴ６８に表示されるメンテナンス操作画面７８Ｂであり、ヨーリミットバイパスのオン及びオフ、ナセルの旋回方向が操作可能とされている。
図１５は、図１１に示される「冷却システム」を押すことによって、ＨＯＴ６８に表示されるメンテナンス操作画面７８Ｃであり、ポンプやファン等のオン及びオフ等が選択可能とされている。
【０１０５】
なお、図１２に示されるメニュー画面の「その他設定」には、トリップデータの信号設定、制御用ソフトウェア変更、制御パラメータの収集や変更、風車制御装置３０の日付や時刻設定、風車制御装置内ＮＶＲＡＭ（Non  Volatile  RAM：不揮発性RAM）が記憶しているデータの収集や変更等が含まれる。
【０１０６】
次のステップ５０６では、所定のメンテナンス操作が終了すると、メンテナンス要員は、メンテナンス操作を継続するか否か判断し、継続すると判断した場合は、ステップ５０４へ戻る一方、終了すると判断した場合は、ステップ５０８へ移行する。
【０１０７】
次のステップ５０８では、ＨＯＴ６８の変換器５４Ｃへの接続を解除し、本処理を終了する。
【０１０８】
このように、本実施形態に係るＳＣＡＤＡ１４は、本設スイッチングハブ４２及び予備スイッチングハブ４４に、ＨＯＴ６８から送信された制御信号を風力発電装置１２へ送信するためのポートが設けられているため、ＨＯＴ６８を用いて遠隔地から、風力発電装置１２に対する各種メンテナンスを行うことができる。
また、保守端末３６ＤもＨＯＴ６８と同様の機能を有している。保守端末３６Ｄは、変換器５４Ｄが接続されているので、ＳＣＡＤＡ１６から保守端末３６Ｄを用いたコンバータ制御装置４０のメンテナンス操作が可能とされている。
【０１０９】
なお、風車制御装置３０及びコンバータ制御装置４０の通信規格がシリアル通信でなく、Ｅｔｈｅｒｎｅｔ通信の場合は、変換器５４Ａ〜５４Ｄを用いることなく、遠隔によるメンテナンス操作が可能となる。また、メンテナンス操作は、有線、無線、又は携帯電話を用いたインターネット回線６５に接続されているクライアント端末６６から行われてもよい。
【０１１０】
以上、本発明を、上記実施形態を用いて説明したが、本発明の技術的範囲は上記実施形態に記載の範囲には限定されない。発明の要旨を逸脱しない範囲で上記実施形態に多様な変更または改良を加えることができ、該変更または改良を加えた形態も本発明の技術的範囲に含まれる。
【０１１１】
例えば、上記実施形態では、風力発電装置１２及びＳＣＡＤＡ１４が洋上に設置される形態について説明したが、本発明は、これに限定されるものではなく、風力発電装置１２及びＳＣＡＤＡ１４が陸上に設置される形態としてもよい。
【０１１２】
また、本設スイッチングハブ４２と予備スイッチングハブ４４とのネットワーク切替器４６による切り替えは、ネットワーク監視用端末６０が本設系統の異常を発見した場合に、ＳＣＡＤＡ端末から自動的に切替コマンドが予備スイッチングハブ４４を介して予備リモートＩ／Ｏ４８へ入力されることによって行われてもよい。
【０１１３】
また、上記実施形態で説明した各種処理の流れも一例であり、本発明の主旨を逸脱しない範囲内において不要なステップを削除したり、新たなステップを追加したり、処理順序を入れ替えたりしてもよい。
【符号の説明】
【０１１４】
１０    風力発電システム
１２    風力発電装置
１４    ＳＣＡＤＡ
１６    中央操作室
３６Ｄ  保守端末
４２    本設スイッチングハブ
４４    予備スイッチングハブ
４６    ネットワーク切替器
４８    予備リモートＩ／Ｏ
５０    本設リモートＩ／Ｏ
６８    ＨＯＴ
【図１】
0005237416.tif 000002
【図２】
0005237416.tif 000003
【図３】
0005237416.tif 000004
【図４】
0005237416.tif 000005
【図５】
0005237416.tif 000006
【図６】
0005237416.tif 000007
【図７】
0005237416.tif 000008
【図８】
0005237416.tif 000009
【図９】
0005237416.tif 000010
【図１０】
0005237416.tif 000011
【図１１】
0005237416.tif 000012
【図１２】
0005237416.tif 000013
【図１３】
0005237416.tif 000014
【図１４】
0005237416.tif 000015
【図１５】
0005237416.tif 000016